(57)【特許請求の範囲】
【請求項１】
先端側から順に先端部、湾曲部、軟性部で構成される挿入部を有する内視鏡と、先端部及び基端部が絞られた略筒状に形成されて、小径の先端部及び基端部と、中央の膨出部とで構成され、前記挿入部が挿通されるバルーンと、前記バルーンの先端部及び基端部にそれぞれ外嵌される先端側リング部材及び基端側リング部材とを備え、前記先端側リング部材及び基端側リング部材によって前記バルーンの先端部及び基端部が締め付けられて前記挿入部に固定される内視鏡装置において、
前記バルーンは、前記先端部が前記挿入部の先端部の上に配置されるとともに、前記基端部が前記挿入部の湾曲部の上に配置されて、前記挿入部に装着され、
前記基端側リング部材が前記バルーンの基端部を締め付ける締付力の方が、前記先端側リング部材が前記バルーンの先端部を締め付ける締付力よりも小さいことを特徴とする内視鏡装置。
【請求項２】
先端側から順に先端部、湾曲部、軟性部で構成される挿入部を有する内視鏡と、先端部及び基端部が絞られた略筒状に形成されて、小径の先端部及び基端部と、中央の膨出部とで構成され、前記挿入部が挿通されるバルーンと、前記バルーンの先端部及び基端部にそれぞれ外嵌される先端側リング部材及び基端側リング部材とを備え、前記先端側リング部材及び基端側リング部材によって前記バルーンの先端部及び基端部が締め付けられて前記挿入部に固定される内視鏡装置において、
前記バルーンは、前記先端部が前記挿入部の湾曲部の上に配置されるとともに、前記基端部が前記挿入部の軟性部の上に配置されて、前記挿入部に装着され、
前記先端側リング部材が前記バルーンの先端部を締め付ける締付力の方が、前記基端側リング部材が前記バルーンの基端部を締め付ける締付力よりも小さいことを特徴とする内視鏡装置。
【請求項３】
前記先端側リング部材と前記基端側リング部材は、外嵌前の内径寸法が異なることを特徴とする請求項１又は２に記載の内視鏡装置。
【請求項４】
前記先端側リング部材と前記基端側リング部材は、外嵌前の厚みが異なることを特徴とする請求項１〜３のいずれか１に記載の内視鏡装置。
【請求項５】
前記先端側リング部材と前記基端側リング部材は、材質が異なることを特徴とする請求項１〜４のいずれか１に記載の内視鏡装置。
【請求項６】
前記先端側リング部材と前記基端側リング部材には、異なる指標が形成されることを特徴とする請求項３〜５のいずれか１に記載の内視鏡装置。
【請求項７】
前記バルーンの先端部と基端部は厚みが異なることを特徴とする請求項１〜６のいずれか１に記載の内視鏡装置。
【発明の詳細な説明】
【技術分野】
【０００１】
本発明は内視鏡装置に係り、特に小腸や大腸などの深部消化管に挿入部を挿入して観察する内視鏡装置に関する。
【背景技術】
【０００２】
内視鏡の挿入部を小腸などの深部消化管に挿入する場合、単に挿入部を押し入れていくだけでは、腸管の複雑な屈曲のために挿入部の先端に力が伝わりにくく、深部への挿入は困難である。例えば、挿入部に余分な屈曲や撓みが生じると、挿入部をさらに深部に挿入することができなくなる。そこで、内視鏡の挿入部に挿入補助具を被せて体腔内に挿入し、この挿入補助具で挿入部をガイドすることによって、挿入部の余分な屈曲や撓みを防止する方法が提案されている。
【０００３】
特許文献１には、内視鏡の挿入部の先端部に第１バルーンを設けるとともに、挿入補助具（オーバーチューブまたはスライディングチューブともいう）の先端部に第２バルーンを設けた内視鏡装置が記載されている。第１バルーンや第２バルーンは、膨張させることによって、挿入部や挿入補助具を小腸等の腸管内に固定させることができる。したがって、第１バルーンや第２バルーンの膨張、収縮を繰り返しながら、挿入部と挿入補助具を交互に挿入することによって、挿入部を小腸等の複雑に屈曲した腸管の深部に挿入することができる。
【特許文献１】特開２００５−２３００８３号公報
【発明の開示】
【発明が解決しようとする課題】
【０００４】
ところで、特許文献１は、バルーンが内視鏡の湾曲部にかかって装着されているため、バルーンの端部の固定位置で湾曲部の被覆部材（アングルゴム）が圧迫されて損傷しやすいという問題があった。アングルゴムは、湾曲部を高い湾曲性能に維持するために機械的強度が比較的弱く、圧迫されることによって損傷しやすいという問題がある。
【０００５】
本発明はこのような事情に鑑みてなされたもので、バルーンの端部の固定位置において内視鏡が損傷することを防止できる内視鏡装置を提供することを目的とする。
【課題を解決するための手段】
【０００６】
請求項１に記載の発明は前記目的を達成するために、先端側から順に先端部、湾曲部、軟性部で構成される挿入部を有する内視鏡と、先端部及び基端部が絞られた略筒状に形成されて、小径の先端部及び基端部と、中央の膨出部とで構成され、前記挿入部が挿通されるバルーンと、前記バルーンの先端部及び基端部にそれぞれ外嵌される先端側リング部材及び基端側リング部材とを備え、前記先端側リング部材及び基端側リング部材によって前記バルーンの先端部及び基端部が締め付けられて前記挿入部に固定される内視鏡装置において、前記バルーンは、前記先端部が前記挿入部の先端部の上に配置されるとともに、前記基端部が前記挿入部の湾曲部の上に配置されて、前記挿入部に装着され、前記基端側リング部材が前記バルーンの基端部を締め付ける締付力の方が、前記先端側リング部材が前記バルーンの先端部を締め付ける締付力よりも小さいことを特徴とする。
【０００７】
請求項１に記載の発明によれば、湾曲部に固定されるバルーンの端部の締付力が小さいので、湾曲部の被覆部材の損傷を防止することができる。
【０００８】
請求項２に記載の発明は前記目的を達成するために、先端側から順に先端部、湾曲部、軟性部で構成される挿入部を有する内視鏡と、先端部及び基端部が絞られた略筒状に形成されて、小径の先端部及び基端部と、中央の膨出部とで構成され、前記挿入部が挿通されるバルーンと、前記バルーンの先端部及び基端部にそれぞれ外嵌される先端側リング部材及び基端側リング部材とを備え、前記先端側リング部材及び基端側リング部材によって前記バルーンの先端部及び基端部が締め付けられて前記挿入部に固定される内視鏡装置において、前記バルーンは、前記先端部が前記挿入部の湾曲部の上に配置されるとともに、前記基端部が前記挿入部の軟性部の上に配置されて、前記挿入部に装着され、前記先端側リング部材が前記バルーンの先端部を締め付ける締付力の方が、前記基端側リング部材が前記バルーンの基端部を締め付ける締付力よりも小さいことを特徴とする。
【０００９】
請求項２に記載の発明によれば、湾曲部に固定されるバルーンの端部の締付力が小さいので、湾曲部の被覆部材の損傷を防止することができる。
【００１０】
請求項３に記載の発明は請求項１又は２の発明において、前記先端側リング部材と前記基端側リング部材は、外嵌前の内径寸法が異なることを特徴とする。
【００１１】
請求項３に記載の発明によれば、外嵌前の先端側リング部材の内径寸法と外嵌前の基端側リング部材の内径寸法とが異なるので、外嵌後の先端側リング部材の締付力と外嵌後の基端側リング部材の締付力が異なる。したがって、バルーンの先端部と基端部とを異なる締付力で締め付け固定することができる。
【００１２】
請求項４に記載の発明は請求項１〜３のいずれか１の発明において、前記先端側リング部材と前記基端側リング部材は、外嵌前の厚みが異なることを特徴とする。
【００１３】
請求項４に記載の発明によれば、外嵌前の先端側リング部材の厚みと外嵌前の基端側リング部材の厚みが異なるので、外嵌後の先端側リング部材の締付力と外嵌後の基端側リング部材の締付力が異なる。したがって、バルーンの先端部と基端部とを異なる締付力で締め付け固定することができる。
【００１４】
請求項５に記載の発明は請求項１〜４のいずれか１の発明において、前記先端側リング部材と前記基端側リング部材は、材質が異なることを特徴とする。
【００１５】
請求項５に記載の発明によれば、先端側リング部材の材質と基端側リング部材の材質が異なるので、外嵌後の先端側リング部材の締付力と外嵌後の基端側リング部材の締付力が異なる。したがって、バルーンの先端部と基端部とを異なる締付力で締め付け固定することができる。
【００１６】
請求項６に記載の発明は請求項３〜５のいずれか１の発明において、前記先端側リング部材と前記基端側リング部材には、異なる指標が形成されることを特徴とする。
【００１７】
請求項６に記載の発明によれば、先端側リング部材と基端側リング部材に異なる指標が形成されているので、先端側リング部材と基端側リング部材を容易に見分けることができ、装着の間違いを無くすことができる。
【００１８】
請求項７に記載の発明は請求項１〜６のいずれか１の発明において、前記バルーンの先端部と基端部は厚みが異なることを特徴とする。
【００１９】
請求項７に記載の発明によれば、バルーンの先端部と基端部で厚みが異なるので、先端側リング部材、基端側リング部材をそれぞれ外嵌させた際の締付力が異なる。したがって、バルーンの先端部と基端部とを異なる締付力で締め付け固定することができる。
【発明の効果】
【００２０】
本発明によれば、バルーンの先端部の締付力と基端部の締付力が異なるので、それぞれの固定位置における内視鏡の構成（被覆部材の材質、強度、外径寸法など）が異なる場合にも、バルーンを確実に固定することができ、且つ、内視鏡の損傷を防止できる。
【発明を実施するための最良の形態】
【００２１】
以下添付図面に従って本発明に係る内視鏡の好ましい実施の形態について詳述する。
【００２２】
図１は本発明に係る内視鏡装置の一例を示すシステム構成図である。図１に示すように内視鏡装置は主として、内視鏡１０及びバルーン制御装置１００で構成される。
【００２３】
内視鏡１０は、手元操作部１４と、この手元操作部１４に連設されて、体腔内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって挿入部１２の先端に設けた照明光学系（不図示）に照明光が送られる。また、ＬＧコネクタ１８には、ケーブル２２を介して電気コネクタ２４が接続され、この電気コネクタ２４がプロセッサ２６に着脱自在に連結される。
【００２４】
手元操作部１４には、送気・送水ボタン２８、吸引ボタン３０、シャッターボタン３２、及び機能切替ボタン３４が並設されるとともに、一対のアングルノブ３６、３６が設けられる。手元操作部１４の基端部には、Ｌ状に屈曲した管によってバルーン送気口３８が形成されている。このバルーン送気口３８にエア等の流体を供給、或いは吸引することによって、後述のバルーン６０を膨張、或いは収縮させることができる。
【００２５】
挿入部１２は、手元操作部１４側から順に軟性部４０、湾曲部４２、及び先端部４４で構成される。軟性部４０は、螺旋状に巻回された金属板の外周にネットを被せ、さらにその外周に被覆を被せることにより構成され、十分な可撓性を有するように構成される。この軟性部４０は、湾曲部４２の基端側に連設される。
【００２６】
湾曲部４２は、手元操作部１４のアングルノブ３６、３６を回動することによって遠隔的に湾曲するように構成される。たとえば、湾曲部４２は、円筒状の複数の節輪をガイドピンで回動自在に連結するとともに、節輪の内部に複数本の操作ワイヤを挿通させてガイドピンにガイドさせ、その操作ワイヤを押し引き操作することによって、節輪同士が回動して湾曲部４２が湾曲操作されるようになっている。この湾曲部４２を湾曲操作することによって、先端部４４を所望の方向に向けることができる。
【００２７】
先端部４４は、その先端面４５に観察光学系５２、照明光学系５４、５４、送気・送水ノズル５６、鉗子口５８が設けられる。観察光学系５２の後方にはＣＣＤ（不図示）が配設され、このＣＣＤを支持する基板に信号ケーブル（不図示）が接続される。信号ケーブルは挿入部１２、手元操作部１４、ユニバーサルケーブル１６等に挿通されて電気コネクタ２４まで延設され、プロセッサ２６に接続される。よって、観察光学系５２で取り込まれた観察像がＣＣＤの受光面に結像されて電気信号に変換され、この電気信号が信号ケーブルを介して図１のプロセッサ２６に出力され、映像信号に変換される。これにより、プロセッサ２６に接続されたモニタ５０に観察画像が表示される。
【００２８】
図２の照明光学系５４、５４は、その後方にライトガイド（不図示）の出射端が配設され、ライトガイドは図１の挿入部１２、手元操作部１４、ユニバーサルケーブル１６に挿通されてＬＧコネクタ１８内に入射端が配設される。したがって、ＬＧコネクタ１８を光源装置２０に連結することによって、光源装置２０から照射された照明光がライトガイドを介して図２の照明光学系５４、５４に伝送され、照明光学系５４、５４から前方に照射される。
【００２９】
送気・送水ノズル５６は、図１の送気・送水ボタン２８によって操作されるバルブ（不図示）に連通され、このバルブがＬＧコネクタ１８に設けた送気・送水コネクタ４８に連通される。送気・送水コネクタ４８には不図示の送気・送水手段が接続され、エア及び水が供給される。したがって、送気・送水ボタン２８を操作することによって、送気・送水ノズル５６からエア又は水を観察光学系に向けて噴射することができる。
【００３０】
図２の鉗子口５８は、図１の鉗子挿入部４６に連通される。よって、鉗子挿入部４６から鉗子等の処置具を挿入することによって、処置具を鉗子口５８から導出することができる。また、鉗子口５８は、吸引ボタン３０によって操作されるバルブに連通され、このバルブがＬＧコネクタ１８の吸引コネクタ４９に接続される。したがって、吸引コネクタ４９に不図示の吸引手段を接続し、吸引ボタン３０でバルブを操作することによって、鉗子口５８から病変部等を吸引することができる。
【００３１】
図２に示すように、挿入部１２の外周面には、ゴム等の弾性体から成るバルーン６０が装着される。バルーン６０は、図３に示す如く、その先端部６０Ａ及び基端部６０Ｂが絞られた略筒状に形成されており、小径の先端部６０Ａ及び基端部６０Ｂと、中央の膨出部６０Ｃで構成される。このバルーン６０は、挿入部１２を挿通させて挿入部１２の所定の位置に配置した後、先端部６０Ａ、基端部６０Ｂにそれぞれ先端側リング６１、基端側リング６２を嵌め込むことによって、挿入部１２に固定される。その際、図２に示すように、バルーン６０の先端部６０Ａは挿入部１２の先端部４４の上に配置され、バルーン６０の基端部６０Ｂは湾曲部４２の上に配置されて固定される。
【００３２】
先端側リング６１及び基端側リング６２は、ゴム等の弾性体によって構成されており、図３に示すようにリング状に形成されている。外嵌前の先端側リング６１の内径Ｄ１と、外嵌前の基端側リング６２の内径Ｄ２は、挿入部１２の外径Ｄ３よりも若干小さく形成されている。したがって、先端側リング６１及び基端側リング６２を挿入部１２に外嵌させる際は、先端側リング６１及び基端側リング６２を弾性変形によって拡径させる。よって、図２に示すように、先端側リング６１、基端側リング６２をバルーン６０の先端部６０Ａ、基端部６０Ｂの上に外嵌させると、先端側リング６１、基端側リング６２の弾性力によって、先端部６０Ａ、基端部６０Ｂが全周にわたって締め付けられて挿入部１２に固定される。
【００３３】
図４に示すように、基端側リング６２の内径Ｄ２は、先端側リング６１の内径Ｄ１よりも大きく形成されている。したがって、図２のように先端側リング６１と基端側リング６２を挿入部１２に外嵌させた際、基端側リング６２がバルーン６０の基端部６０Ｂを締め付ける締付力は、先端側リング６１がバルーン６０の先端部６０Ａを締め付ける締付力よりも小さくなる。これにより、湾曲部４２に配置された基端側リング６２の締付力が小さくなるので、湾曲部４２の被覆部材（アングルゴム）の損傷を防止することができる。なお、基端側リング６２の締付力は、バルーン６０の基端部６０Ｂと挿入部１２との間の気密を保持できるように設定される。同様に先端側リング６１の締付力は、バルーン６０の先端部６０Ａと挿入部１２との間の気密を保持できるように設定される。
【００３４】
図２に示すように、挿入部１２の先端部４４の基端位置には、供給・吸引口６４が形成される。供給・吸引口６４は、不図示のチューブに接続されており、このチューブは挿入部１２の内部に挿通され、手元操作部１４のバルーン送気口３８に連通される。バルーン送気口３８には後述のチューブ１１０を介してバルーン制御装置１００が接続される。したがって、バルーン制御装置１００によってエアを供給、吸引することによって、バルーン６０を膨張、収縮させることができる。バルーン６０はエアを供給することによって略球状に膨張し、エアを吸引することによって挿入部１２の外表面に張り付くようになっている。
【００３５】
図１のバルーン制御装置１００は、バルーン６０にエア等の流体を供給・吸引する装置である。バルーン制御装置１００は主として、装置本体１０２と、リモートコントロール用のハンドスイッチ１０４で構成される。
【００３６】
装置本体１０２の前面には、電源スイッチＳＷ１、停止スイッチＳＷ２、圧力表示部１０６が設けられる。圧力表示部１０６はバルーン６０の圧力値を表示するパネルであり、バルーン破れ等の異常発生時にはこの圧力表示部１０６にエラーコードが表示される。
【００３７】
装置本体１０２の前面には、バルーン６０へのエア供給・吸引を行うチューブ１１０が接続される。チューブ１１０と装置本体１０２との接続部分にはバルーン６０が破れた時の体液の逆流を防止するための逆流防止ユニット１１２が設けられる。逆流防止ユニット１１２は、装置本体１０２に着脱自在に装着された中空円盤状のケース（不図示）の内部に気液分離用のフィルタを組み込むことによって構成されており、装置本体１０２内に液体が流入することをフィルタによって防止する。
【００３８】
一方、ハンドスイッチ１０４には、各種のスイッチが設けられる。たとえば、装置本体１０２側の停止スイッチＳＷ２と同様の停止スイッチや、バルーン６０の加圧／減圧を指示するＯＮ／ＯＦＦスイッチ、バルーン６０の圧力を保持するためのポーズスイッチなどが設けられる。このハンドスイッチ１０４はコード１３０を介して装置本体１０２に電気的に接続されている。なお、図１には示してないが、ハンドスイッチ１０４には、バルーン６０の送気状態、或いは排気状態を示す表示部が設けられている。
【００３９】
上記の如く構成されたバルーン制御装置１００は、バルーン６０にエアを供給して膨張させるとともに、そのエア圧を一定値に制御してバルーン６０を膨張した状態に保持する。また、バルーン６０からエアを吸引して収縮させるとともに、そのエア圧を一定値に制御してバルーン６０を収縮した状態に保持する。
【００４０】
バルーン制御装置１００は、バルーン専用モニタ８２に接続されており、バルーン６０を膨張、収縮させる際に、バルーン６０の圧力値や膨張・収縮状態をバルーン専用モニタ８２に表示する。なお、バルーン６０の圧力値や膨張・収縮状態は、内視鏡１０の観察画像にスーパーインポーズしてモニタ５０に表示するようにしてもよい。
【００４１】
上記の如く構成された内視鏡装置の操作方法の一例としては、挿入部１２をプッシュ式で挿入していき、必要に応じてバルーン６０を膨張させて挿入部１２を体内（たとえば大腸内）に固定する。そして、挿入部１２を引いて体内（たとえば大腸内）の管形状を単純化した後、バルーン６０を収縮させて挿入部１２をさらに腸管の深部に挿入する。たとえば、挿入部１２を被検者の肛門から挿入し、挿入部１２の先端がＳ状結腸を過ぎた際にバルーン６０を膨張させて挿入部１２を腸管に固定し、挿入部１２を引いてＳ状結腸を略直線状にする。そして、バルーン６０を収縮させて、挿入部１２の先端を腸管の深部に挿入していく。これにより、挿入部１２を腸管の深部に挿入することができる。
【００４２】
次に上記の如く構成された内視鏡装置の作用について説明する。
【００４３】
バルーン６０の基端部６０Ｂは、湾曲部４２のアングルゴム上で固定されている。アングルゴムは、湾曲部４２の湾曲操作性を確保するために、高い可撓性を有するゴム材で構成される。このため、湾曲部４２上でバルーン６０の基端部６０Ｂを固定する力（すなわち、基端側リング６２による締付力）が大きすぎると、アングルゴムが圧迫されて損傷するおそれや、湾曲操作時にアングルゴムが湾曲部４２内の節輪同士に挟まれて損傷するおそれがある。
【００４４】
一方で、バルーン６０の先端部６０Ａは、挿入部１２の先端部４４上で固定されている。この先端部４４は硬質であるので、バルーン６０の先端部６０Ａの固定位置がずれないように、バルーン６０の先端部６０Ａを固定する力（すなわち、先端側リング６１による締付力）を大きくして、バルーン６０の先端部６０Ａを強固に固定したいという要望がある。
【００４５】
このような背景から、本実施の形態では、外嵌前の基端側リング６２の内径Ｄ２を、外嵌前の先端側リング６１の内径Ｄ１よりも大きく形成している。このように形成された先端側リング６１及び基端側リング６２は、バルーン６０の先端部６０Ａ及び基端部６０Ｂに外嵌させて締め付け固定した際に、バルーン６０の先端部６０Ａを先端側リング６１の大きな締付力で強固に固定できる一方で、バルーン６０の基端部６０Ｂを基端側リング６２の必要最小限の締付力で固定することができ、湾曲部４２のアングルゴムが損傷することを防止することができる。したがって、本実施の形態によれば、バルーン６０の先端部６０Ａ及び基端部６０Ｂを、構成の異なる先端部４４及び湾曲部４２に確実に、且つ、湾曲部４２を損傷することなく固定することができる。
【００４６】
なお、上述した実施形態は、基端側リング６２の内径Ｄ２を先端側リング６１の内径Ｄ１よりも大きく形成することによって、基端側リング６２の締付力が先端側リング６１の締付力よりも小さくなるように構成したが、基端側リング６２と先端側リング６１の構成はこれに限定するものではない。たとえば、図５に示すように、外嵌前の先端側リング６１と基端側リング６２を同じ内径で形成するとともに、外嵌前の基端側リング６２の厚みＴ２が、外嵌前の先端側リング６１の厚みＴ１よりも薄くなるように構成するとよい。これにより、外嵌後の基端側リング６２の締付力を、外嵌後の先端側リング６１の締付力よりも小さくすることができる。
【００４７】
図６は、基端側リング６２の内径Ｄ２が先端側リング６１の内径Ｄ１よりも大きく形成され、且つ、基端側リング６２の厚みＴ２が先端側リング６１の厚みＴ１よりも薄く形成された例である。このように構成された先端側リング６１及び基端側リング６２は、基端側リング６２の締付力が先端側リング６１の締付力よりも確実に小さくなる。
【００４８】
上述した実施形態は、先端側リング６１と基端側リング６２の形状（内径、厚み等）を変えることによって締付力を変化させるようにしたが、これに限定するものではなく、先端側リング６１と基端側リング６２の材質を変えることによって締付力を変化させるようにしてもよい。たとえば、先端側リング６１と基端側リング６２で同じ形状で形成するとともに、基端側リング６２のゴム材の硬度を先端側リング６１のゴム材の硬度よりも小さくするとよい。これにより、基端側リング６２が先端側リング６１よりも伸び易くなるので、基端側リング６２の締付力が先端側リング６１の締付力よりも小さくなる。なお、先端側リング６１と基端側リング６２で材質を変えるとともに、上記の如く、先端側リング６１と基端側リング６２で形状を変えるようにしてもよい。
【００４９】
また、上記の如く、先端側リング６１と基端側リング６２で形状、材質等を変えた場合には、先端側リング６１の表面、及び／又は、基端側リング６２の表面に指標を設け、先端側リング６１と基端側リング６２で見分けられるようにするとよい。その場合、指標の種類は特に限定するものではなく、色や模様によって区別するようにしてもよい。
【００５０】
先端側リング６１と基端側リング６２の軸方向の長さは特に限定するものではないが、締付力の小さい基端側リング６２の軸方向の長さが、先端側リング６１の軸方向の長さよりも長くなるように形成することが好ましい。これにより、締付力の小さい基端側リング６２においてバルーン６０の基端部６０Ｂと湾曲部４２との密着性を向上させることができ、気密を確実にとることができる。
【００５１】
また、上述した実施形態は、先端側リング６１及び基端側リング６２の構成によって締付力を変えるようにしたが、バルーン６０の先端部６０Ａと基端部６０Ｂの構成によって締付力を変化させるようにしてもよい。たとえば、図７に示すように、バルーン６０の先端部６０Ａの厚みＴ３が基端部６０Ｂの厚みＴ４よりも厚くなるように構成するとよい。この場合、図８に示すように、バルーン６０の先端部６０Ａ、基端部６０Ｂに先端側リング６１、基端側リング６２を外嵌させた際に、先端側リング６１や基端側リング６２の構成（形状や材質等）によらず、基端部６０Ｂでの締付力が先端部６０Ａでの締付力よりも小さくなる。
【００５２】
なお、上述した実施形態は、バルーン６０が挿入部１２の先端部４４から湾曲部４２にわたって装着される例であるが、バルーン６０の装着位置はこれに限定するものではなく、たとえば、バルーン６０の先端部６０Ａを湾曲部４２に固定し、バルーン６０の基端部６０Ｂを軟性部４０に固定するようにしてもよい。この場合には、先端側リング６１によるバルーン６０の先端部６０Ａの締付力が、基端側リング６２によるバルーン６０の基端部６０Ｂの締付力よりも小さくなるように構成するとよい。
【図面の簡単な説明】
【００５３】
【図１】本発明に係る内視鏡装置の一例を示すシステム構成図
【図２】内視鏡の挿入部を示す斜視図
【図３】バルーン、先端側リング及び基端側リングを示す斜視図
【図４】先端側リング及び基端側リングを示す正面図
【図５】先端側リング及び基端側リングの別実施形態を示す正面図
【図６】先端側リング及び基端側リングの別実施形態を示す正面図
【図７】バルーンの別実施形態を示す断面図
【図８】図７のバルーンを挿入部に装着した状態の断面図
【符号の説明】
【００５４】
１０…内視鏡、１２…挿入部、１４…手元操作部、４２…湾曲部、４４…先端部、６０…バルーン、６０Ａ…先端部、６０Ｂ…基端部、６１…先端側リング、６２…基端側リング
【図１】
0004836653.tif 000002
【図２】
0004836653.tif 000003
【図３】
0004836653.tif 000004
【図４】
0004836653.tif 000005
【図５】
0004836653.tif 000006
【図６】
0004836653.tif 000007
【図７】
0004836653.tif 000008
【図８】
0004836653.tif 000009